(57)【要約】【課題】印刷コストを抑え、かつ、色再現性を高めることができる画像形成装置及び印刷制御方法の提供。【解決手段】所定の色空間における色再現域が異なる複数種類のトナー群（例えば、通常トナーと通常トナーよりも色再現域が広いＶｉｖｉｄトナー）が搭載された画像形成装置において、印刷対象となる画像データに基づく画像の各部の色情報を前記所定の色空間上の値に変換し、前記所定の色空間上の値と、予め登録された前記複数種類のトナー群の色再現域と、の関係に基づいて、前記画像の各部の印刷に使用するトナー群を決定する。【選択図】図１１
2010139718.tif 000002
【特許請求の範囲】
【請求項１】
所定の色空間における色再現域が異なる複数種類のトナー群が搭載された画像形成装置において、
印刷対象となる画像データに基づく画像の各部の色情報を前記所定の色空間上の値に変換し、前記所定の色空間上の値と、予め登録された前記複数種類のトナー群の色再現域と、の関係に基づいて、前記画像の各部の印刷に使用するトナー群を決定する、ことを特徴とする画像形成装置。
【請求項２】
前記所定の色空間上の値がいずれかの１つのトナー群の色再現域のみに属する場合は、当該１つのトナー群を前記印刷に使用するトナー群として決定し、
前記所定の色空間上の値が２以上のトナー群の色再現域に属する場合は、当該２以上のトナー群の内の最も安価なトナー群を前記印刷に使用するトナー群として決定する、ことを特徴とする請求項１に記載の画像形成装置。
【請求項３】
前記所定の色空間上の値がいずれのトナー群の色再現域にも属さない場合は、前記複数種類のトナー群の内の予め設定されたトナー群を前記印刷に使用するトナー群として決定する、ことを特徴とする請求項１又は２に記載の画像形成装置。
【請求項４】
前記複数種類のトナー群は、第１のトナー群と前記第１のトナー群よりも色再現域が広い第２のトナー群とで構成され、
前記所定の色空間上の値が前記第１のトナー群の色再現域に属さない場合は、前記第２のトナー群の色再現域に属するか否かに関わらず、前記第２のトナー群を前記印刷に使用するトナー群として決定する、ことを特徴とする請求項１に記載の画像形成装置。
【請求項５】
前記複数種類のトナー群は、第１のトナー群と前記第１のトナー群よりも色再現域が広い第２のトナー群とで構成され、
前記所定の色空間上の値が前記第１のトナー群の色再現域に属する場合は、前記第２のトナー群の色再現域に属するか否かに関わらず、前記第１のトナー群を前記印刷に使用するトナー群として決定する、ことを特徴とする請求項１に記載の画像形成装置。
【請求項６】
前記所定の色空間上の値を予め定めた条件で重み付けする、ことを特徴とする請求項１乃至５のいずれか一に記載の画像形成装置。
【請求項７】
前記所定の色空間上の値はＬａｂ値である、ことを特徴とする請求項１乃至６のいずれか一に記載の画像形成装置。
【請求項８】
所定の色空間における色再現域が異なる複数種類のトナー群が搭載された印刷部を備える画像形成装置を含むシステムにおける印刷制御方法であって、
前記複数種類のトナー群の色再現域を記憶部に登録する第１ステップと、
印刷対象となる画像データに基づく画像の各部の色情報を前記所定の色空間上の値に変換する第２ステップと、
前記所定の色空間上の値と、前記記憶部に登録した前記複数種類のトナー群の色再現域と、の関係に基づいて、前記画像の各部の印刷に使用するトナー群を決定する第３ステップと、
前記印刷部を用いて、前記画像の各部を決定したトナー群を使用して印刷する第４ステップと、を少なくとも有する、ことを特徴とする印刷制御方法。
【請求項９】
前記第３ステップでは、
前記所定の色空間上の値がいずれかの１つのトナー群の色再現域のみに属する場合は、当該１つのトナー群を前記印刷に使用するトナー群として決定し、
前記所定の色空間上の値が２以上のトナー群の色再現域に属する場合は、当該２以上のトナー群の内の最も安価なトナー群を前記印刷に使用するトナー群として決定する、ことを特徴とする請求項８に記載の印刷制御方法。
【請求項１０】
前記第３ステップでは、
前記所定の色空間上の値がいずれのトナー群の色再現域にも属さない場合は、前記複数種類のトナー群の内の予め設定したトナー群を前記印刷に使用するトナー群として決定する、ことを特徴とする請求項８又は９に記載の印刷制御方法。
【請求項１１】
前記複数種類のトナー群を、第１のトナー群と前記第１のトナー群よりも色再現域が広い第２のトナー群とで構成し、
前記第３ステップでは、
前記所定の色空間上の値が前記第１のトナー群の色再現域に属さない場合は、前記第２のトナー群の色再現域に属するか否かに関わらず、前記第２のトナー群を前記印刷に使用するトナー群として決定する、ことを特徴とする請求項８に記載の印刷制御方法。
【請求項１２】
前記複数種類のトナー群を、第１のトナー群と前記第１のトナー群よりも色再現域が広い第２のトナー群とで構成し、
前記第３ステップでは、
前記所定の色空間上の値が前記第１のトナー群の色再現域に属する場合は、前記第２のトナー群の色再現域に属するか否かに関わらず、前記第１のトナー群を前記印刷に使用するトナー群として決定する、ことを特徴とする請求項８に記載の印刷制御方法。
【請求項１３】
前記第２ステップでは、
前記所定の色空間上の値を予め定めた条件で重み付けする、ことを特徴とする請求項８乃至１２のいずれか一に記載の印刷制御方法。
【請求項１４】
前記所定の色空間上の値はＬａｂ値である、ことを特徴とする請求項８乃至１３のいずれか一に記載の印刷制御方法。
【発明の詳細な説明】
【技術分野】
【０００１】
本発明は、画像形成装置及び印刷制御方法に関し、特に、色再現域の異なる複数種類のトナー群を備える画像形成装置及び該画像形成装置を用いた印刷制御方法に関する。
【背景技術】
【０００２】
プリンタやデジタル複合機などの印刷装置（以下、画像形成装置と呼ぶ。）が普及している。この画像形成装置では、コンピュータ端末から送信される印刷ジョブに基づいて画像を形成し、帯電された感光体に画像に応じた光を照射して静電潜像を形成し、帯電したトナーを付着させて現像し、そのトナー像を転写ローラや転写ベルトなどの中間転写体を介して用紙に転写する処理を行う。
【０００３】
ここで、画像形成装置に使用されるトナーなどの部材には各々、色の特性があり、再現しやすい色もあれば再現しにくい色もある。そこで、画像形成に際して、これらの部材の色の特性を考慮して、元の画像の色をできるだけ忠実に再現できるように所定の画像処理を行っている。例えば、下記特許文献１には、対象となる画像の特性を自動認識し、その画像特性に応じて最適な色再現処理（カラーマッチング）方式に切り替える装置が開示されている。
【０００４】
【特許文献１】特開２００２−１８２６３４号公報
【発明の開示】
【発明が解決しようとする課題】
【０００５】
このように、画像特性に応じて再現方式を切り替えることにより、元の画像に近い色を再現することは可能であるが、ＣＭＹ又はＣＭＹＫの各トナーで構成されるトナー群には、再現可能な色の範囲（色再現域と呼ぶ。）があるため、元の画像の中に色再現域外の色が含まれる場合は、所望の色の画像を再現することができない。
【０００６】
このような背景から、近年、従来使用されてきたトナー群（以下、通常トナーと呼ぶ。）よりも彩度の高い鮮やかな色が再現できるトナー群（以下、Ｖｉｖｉｄトナーと呼ぶ。）が開発されており、このＶｉｖｉｄトナーを搭載した画像形成装置を利用することにより、通常トナーの色再現域外の色をより忠実に再現することが可能である。
【０００７】
しかしながら、Ｖｉｖｉｄトナーは通常トナーよりも高価なため、元の画像が双方のトナーで再現可能な色（双方のトナーの色再現域内の色）のみで構成されている場合に、Ｖｉｖｉｄトナーを使用して印刷を行うと、印刷コストが上昇してしまう。また、Ｖｉｖｉｄトナーで印刷すると鮮やかな色となるため、例えば、彩度の低い深みのある色などを再現したい場合には、通常トナーを使用した方が再現性がよくなる場合もある。
【０００８】
従って、印刷コストを抑え、かつ、色再現性を高めるためには、元の画像の色に応じてトナー群を選択することが望ましいが、従来は、色再現域の異なる複数種類のトナー群を備えた画像形成装置はなく、元の画像の色と各トナー群の色再現域とに基づいて適切なトナー群を選択する手法は無かったため、上記問題を解決することができなかった。
【０００９】
本発明は、上記問題点に鑑みてなされたものであって、その主たる目的は、印刷コストを抑え、かつ、色再現性を高めることができる画像形成装置及び印刷制御方法を提供することにある。
【課題を解決するための手段】
【００１０】
上記目的を達成するため、本発明は、所定の色空間における色再現域が異なる複数種類のトナー群が搭載された画像形成装置において、印刷対象となる画像データに基づく画像の各部の色情報を前記所定の色空間上の値に変換し、前記所定の色空間上の値と、予め登録された前記複数種類のトナー群の色再現域と、の関係に基づいて、前記画像の各部の印刷に使用するトナー群を決定するものである。
【００１１】
また、本発明は、所定の色空間における色再現域が異なる複数種類のトナー群が搭載された印刷部を備える画像形成装置を含むシステムにおける印刷制御方法であって、前記複数種類のトナー群の色再現域を記憶部に登録する第１ステップと、印刷対象となる画像データに基づく画像の各部の色情報を前記所定の色空間上の値に変換する第２ステップと、前記所定の色空間上の値と、前記記憶部に登録した前記複数種類のトナー群の色再現域と、の関係に基づいて、前記画像の各部の印刷に使用するトナー群を決定する第３ステップと、前記印刷部を用いて、前記画像の各部を決定したトナー群を使用して印刷する第４ステップと、を少なくとも有するものである。
【発明の効果】
【００１２】
本発明の画像形成装置及び印刷制御方法によれば、印刷コストを抑え、かつ、色再現性を高めることができる。
【００１３】
その理由は、色再現域の異なる第１のトナー群と第２のトナー群などの複数種類のトナー群を画像形成装置に搭載し、印刷対象となる画像の色を数値化して各々のトナー群の色再現域と比較し、いずれかのトナー群のみで再現可能な色に対してはそのトナー群を使用し、双方のトナー群で再現可能な色に対しては予め定めた一方のトナー群（より安価なトナー群）を使用する制御を行うからである。また、双方のトナー群で再現できない色に対してはより再現性の高いトナー群を使用する制御を行うからである。
【発明を実施するための最良の形態】
【００１４】
背景技術で示したように、Ｖｉｖｉｄトナーを搭載した画像形成装置では、通常トナーを搭載した画像形成装置よりも彩度の高い鮮やかな色が再現可能であるが、Ｖｉｖｉｄトナーは通常トナーよりも高価なため、双方のトナーで再現可能な色は、通常トナーを用いて印刷することが望ましい。また、彩度の低い深みのある色などは、通常トナーの方が再現性がよくなる場合がある。
【００１５】
そこで、本発明の一実施の形態では、まず、画像形成装置に、色再現域の異なる第１のトナー群（例えば、通常トナー）及び第２のトナー群（例えば、Ｖｉｖｉｄトナー）などの複数種類のトナー群を搭載する。そして、画像形成装置の制御部（印刷制御プログラム）では、印刷対象となる画像を所定の単位（例えば、Ｂｉｔ単位）で所定の色空間における値（例えば、Ｌａｂ値）に変換し、その値が、各トナー群の色再現域のどの領域に属するかを判定し、その判定結果に基づいてどのトナー群を利用するかを決定する。例えば、第１のトナー群のみで再現可能な色に対しては第１のトナー群を使用し、第２のトナー群のみで再現可能な色に対しては第２のトナー群を使用し、双方のトナー群で再現可能な色に対しては予め定めた一方のトナー群（より安価なトナー群）を使用するように制御する。また、双方のトナー群で再現できない色に対してはより再現性の高い（色再現域に近い）トナー群を使用するように制御する。これにより、所望の画像により近い出力結果が得られ、かつ、コストを必要最低限に抑えることが可能になる。
【実施例】
【００１６】
上記した本発明の一実施の形態についてさらに詳細に説明すべく、本発明の一実施例に係る画像形成装置及び印刷制御方法について、図１乃至図１３を参照して説明する。図１は、本実施例の印刷システムの構成を示す図であり、図２は、コンピュータ端末の構成、図３乃至図５は、画像形成装置の構成を示す図である。また、図６は、通常トナーとＶｉｖｉｄトナーの色再現域を示す図であり、図７及び図８は、コンピュータ端末の表示部に表示される画面の一例を示す図である。また、図９及び図１０は、コンピュータ端末における動作を示すフローチャート図であり、図１１乃至図１３は、画像形成装置における動作を示すフローチャート図である。
【００１７】
図１に示すように、本実施例の印刷システムは、印刷ジョブを送受信する１又は複数のコンピュータ端末１０と、印刷ジョブを受信して印刷を実行する１又は複数の画像形成装置２０とで構成され、これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク３０によって接続されている。
【００１８】
また、図２に示すように、コンピュータ端末１０は、制御部１１と、表示部１２と、操作部１３などで構成される。
【００１９】
制御部１１は、ＣＰＵ（Central Processing Unit）１１ａ、ＲＯＭ（Read Only Memory）、ＲＡＭ（Random Access Memory）などのメモリ１１ｂ、ＨＤＤ（Hard Disk Drive）１１ｃ、通信Ｉ／Ｆ部１１ｄなどを備え、これらはバスを介して接続されている。ＣＰＵ１１ａは、各部の制御を行う。メモリ１１ｂは、ＨＤＤ１１ｃ、通信Ｉ／Ｆ部１１ｄから読み込んだ種々のデータを一時的に記憶する部分であり、記憶されたデータはＣＰＵ１１ａによって処理され、必要に応じてＨＤＤ１１ｃや通信Ｉ／Ｆ部１１ｄに転送される。ＨＤＤ１１ｃは、ＣＰＵ１１ａが各部を制御するためのプログラム、自装置の処理機能に関する情報、印刷ジョブなどを格納し、ＣＰＵ１１ａにより必要に応じて読み出され、メモリ１１ｂ上で実行処理される。通信Ｉ／Ｆ部１１ｄは、通信ネットワーク３０を介して繋がっている機器との接続を確立し、データの送受信を実行する。
【００２０】
上記制御部１１は、文書を作成するためのアプリケーションや文書の印刷を指示するプリンタドライバとして機能し、アプリケーションで作成した文書データは、プリンタドライバにより、画像形成装置２０で読み取り可能な言語（ＰＣＬ（Printer Control Language）やＰＳ（Post Script）などのＰＤＬ（Page Description Language））の印刷ジョブに変換され、通信Ｉ／Ｆ部１１ｄを介して画像形成装置２０に送信される。
【００２１】
表示部１２は、液晶表示装置（ＬＣＤ：Liquid Crystal Display）や有機ＥＬ（electroluminescence）表示装置等からなり、画像形成装置２０へ送信する印刷ジョブを設定するためのプリンタドライバ画面やプロパティ画面等を表示する。
【００２２】
操作部１３は、表示部１２上に表示された情報を操作したり、情報を入力したりする部分であり、ポインティングデバイス、キーボード、トラックボール、トラックパッド、タブレット、及びスタイラスペンなどで構成される。
【００２３】
また、図３及び図４に示すように、画像形成装置２０は、制御部２１と、ＡＤＦ（Auto Document Feeder：自動原稿送り装置）２２と、画像読取部２３と、表示部２４と、操作部２５と、給紙部２６と、印刷部２７と、後処理部２８などで構成される。
【００２４】
制御部２１は、各構成部を制御する部分で、ＣＰＵ２１ａ、ＲＯＭやＲＡＭなどのメモリ２１ｂ、ＨＤＤ２１ｃ、通信Ｉ／Ｆ部２１ｄなどを備え、これらはバスを介して接続されている。ＣＰＵ２１ａは各部の制御などを行う。メモリ２１ｂは、ＨＤＤ２１ｃ、画像読取部２３、通信Ｉ／Ｆ部２１ｄから読み込んだ種々のデータを一時的に記憶する部分で、記憶されたデータはＣＰＵ２１ａによって画像処理され、必要に応じてＨＤＤ２１ｃや印刷部２７に転送される。ＨＤＤ２１ｃは、ＣＰＵ２１ａが各部を制御するためのプログラム、自装置の処理機能に関する情報、所定の色空間における各トナー群の色再現域を規定するデータ、後述するＩＣＣ（International Color Consortium）プロファイルなどを格納し、ＣＰＵ２１ａにより必要に応じて読み出され、メモリ２１ｂ上で実行処理される。通信Ｉ／Ｆ部２１ｄは、通信ネットワーク３０を介して繋がっている機器との接続を確立し、データの送受信を実行する。
【００２５】
上記制御部２１は、印刷ジョブの各ページのデータをラスタライズし、必要に応じて画像処理やスクリーニングを行って、印刷部２７で印刷可能なビットマップデータを作成する画像処理部としても機能する。
【００２６】
また、制御部２１は、各ページのビットマップデータを所定の単位（例えば、Ｂｉｔ単位）で所定の色空間上の値に変換し、その値が第１のトナー群（例えば、通常トナー）及び第２のトナー群（通常トナーよりも彩度の高いトナー、例えば、Ｖｉｖｉｄトナー）の色再現域のどの領域に属するか（すなわち、一方のトナー群でのみ再現可能な色であるか、双方のトナー群で再現可能な色であるか、いずれのトナー群でも再現できない色であるか）を判別し、その判別結果に基づいて、使用するトナー群（例えば、一方のトナー群でのみ再現可能な色であればそのトナー群、双方のトナー群で再現可能な色であればより安価なトナー群、いずれのトナー群でも再現できない色であればより色再現性の良いトナー群）を決定する印刷制御部としても機能する。この印刷制御部はハードウェアとして構成してもよいし、コンピュータを印刷制御部として機能させる印刷制御プログラムとして構成し、該プログラムを制御部２１上で実行する構成としてもよい。
【００２７】
ＡＤＦ２２は、単数もしくは複数枚の原稿用紙を自動で画像読取部２３へ搬送する部分である。
【００２８】
画像読取部２３は、原稿台上の原稿用紙から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００２９】
表示部２４は、液晶表示装置や有機ＥＬ表示装置等からなり、画像形成装置２０を操作するための各種画面を表示する。また、操作部２５は、ボタンやスイッチ等からなり、各種設定や指示を行う。なお、表示部２４と操作部２５は別々の装置としても良いし、表示部２４上に、透明電極が格子状に配置された感圧式の操作部（タッチパネル）２５を設けた一体の装置としてもよく、タッチパネルの場合は、手指やタッチペン等で押下された力点のＸＹ座標を電圧値で検出し、検出された位置信号を操作信号として制御部２１に出力する。
【００３０】
給紙部２６は、各種サイズの用紙を格納する用紙トレイで構成される。また、格納された用紙を印刷部２７へ送り出す部分を含む。
【００３１】
印刷部２７は、電子写真方式や静電記録方式等の作像プロセスを利用した画像形成に必要な構成要素で構成され、画像読取部２３から読み込んだ画像データ、あるいは通信Ｉ／Ｆ部２１ｄを介して受け取った印刷ジョブに基づいて、指定された用紙に画像を形成し、後処理部２８に送り出す。
【００３２】
具体的には、印刷部２７は、図５に示すように、書き込みユニットと感光体ユニットと転写ユニットと搬送ユニットなどで構成される。書き込みユニットは、レーザダイオードなどで構成され、画像処理部から入力されたビットマップデータに基づいてレーザ光を照射して露光する。感光体ユニットは、感光体ドラム、現像器、帯電器、感光体クリーニング部などで構成され、感光体ドラム上に現像器から供給されたトナーの潜像を形成する。本実施例では、所定の色再現域を有する第１のトナー群（ここでは通常トナー）のイエロー（Ｙ）、マゼンタ（Ｍ）、シアン（Ｃ）と、前記所定の色再現域とは異なる色再現域を有する第２のトナー群（ここではＶｉｖｉｄトナー）のイエロー（Ｙ）、マゼンタ（Ｍ）、シアン（Ｃ）と、黒（Ｋ）の計７色のトナーに対応する７つの感光体ユニットを備える。転写ユニットは、１次転写ドラム、中間転写ベルト、ベルトクリーニング部、２次転写ローラ、ローラクリーニング部などで構成され、感光体ユニットで形成されたトナー像を中間転写体として機能する中間転写ベルトに転写した後、中間転写ベルト上に形成されたトナー像を用紙に転写する。定着ユニットは、定着器、定着器クリーニング部などで構成され、用紙に転写されたトナー像を定着させる。搬送ユニットは、給紙ローラ、レジストローラ、ループローラ、反転ローラ、排紙ローラなどで構成され、給紙部２７から所望の用紙を２次転写ローラに搬送し、定着後の用紙を後処理部２８に排出する。
【００３３】
後処理部２８は、印刷部２７から搬送される用紙を、制御部２１からの指示により、パンチ・ステープル・製本などのユーザの希望するフィニッシング処理を加えて出力する。
【００３４】
なお、図１乃至図５は本実施例の一例であり、適宜変更可能である。例えば、画像形成装置２０をプリンタとして使用する場合は、ＡＤＦ２２や画像読取部２３を省略してもよいし、後処理を行う必要が無い場合は、後処理部２８を省略してもよい。また、図５では、７色のトナーを使用する場合を示したが、第１のトナー群のＹＭＣＫと、第２のトナー群のＹＭＣＫの計８色のトナーを使用してもよい。また、図５では、色毎に各トナーを配置（例えば、第１のトナー群のＹと第２のトナー群のＹを隣同士に配置）したが、トナーの種類毎（例えば、第１のトナー群のＹＭＣを隣同士に配置）してもよい。
【００３５】
また、図１では、印刷システムをコンピュータ端末１０と画像形成装置２０とで構成したが、通信ネットワーク３０に、印刷ジョブをビットマップデータに変換するＲＩＰ（Raster Image Processor）コントローラ等の制御装置が接続される構成としても良く、その場合は、制御装置を印刷制御部（印刷制御プログラム）として機能させればよい。
【００３６】
次に、本実施例で用いる２種類のトナー群の特性について説明する。図６は、一般的にガモット（Gamut：プリンタ、モニタなどの周辺機器が再現できる色の範囲）と呼ばれる表現方法に、通常トナーとＶｉｖｉｄトナーの色再現域を表したものであり、Ｌａｂ値（Ｌ軸＝明るさ、ａ軸＝緑〜赤、ｂ軸＝青〜黄）で表される色空間立体イメージを上から見たものである。
【００３７】
図６より、Blue、Magenta、Red、Greenに関しては、通常トナーの色再現域（図の破線の領域）よりもＶｉｖｉｄトナーの色再現域（図の実線の領域）の方が広いことが分かる。また、Cyanに関しては、Ｖｉｖｉｄトナーの色再現域よりも通常トナーの色再現域の方が広いことが分かる。また、粗いドットのハッチング領域は、通常トナー及びＶｉｖｉｄトナーの双方で再現可能な色の領域を示しており、細かいドットのハッチング領域は、Ｖｉｖｉｄトナーのみが再現可能な色の領域を示しており、斜線のハッチング領域は、通常トナーのみが再現可能な色の領域を示している。
【００３８】
なお、本実施例における複数種類のトナー群は、色再現域の少なくとも一部が相重なるトナー群の組み合わせであればよく、各トナー群の色再現域は特に限定されない。例えば、図６では、各々のトナー群でのみ再現可能な領域を有する組み合わせとしたが、一方のトナー群の色再現域が他方のトナー群の色再現域を包含する組み合わせとしてもよい。また、本実施例では、Ｌａｂで管理される色空間を用いているが、ＣＩＥ  ＸＹＺなど、装置に依存しないデバイスインディペンデントカラー（Device Independent Color）で管理される任意の色空間を用いることができる。
【００３９】
以下、上記構成の印刷システムを用いて印刷を行う手順について説明する。
【００４０】
まず、本実施例のコンピュータ端末におけるユーザの操作について、図９のフローチャート図、図７及び図８の画面例を参照して説明する。
【００４１】
＜ユーザの操作＞
コンピュータ端末１０の制御部１１は、アプリケーションを動作させ、ユーザは、アプリケーションを使用して所望の色が指定された文書データを作成する（Ｓ１０１）。
【００４２】
次に、アプリケーションのファイルメニューなどにより印刷を指示すると（Ｓ１０２）、制御部１１は、プリンタドライバを動作させ、表示部１２に図７に示すようなプリンタドライバ画面４０を表示させる。このプリンタドライバ画面４０には、プリンタや印刷範囲、印刷部数、印刷対象や印刷指定、拡大／縮小などを設定する欄が設けられている、ユーザは操作部１３を操作して各項目の設定を行う。そして、プリンタ指定欄のプロパティボタンを押下すると、制御部１１は、表示部１２に図８に示すようなプロパティ画面４１を表示させる。
【００４３】
このプロパティ画面４１には、Ｖｉｖｉｄトナーの使用条件を設定する欄が設けられており、必要に応じて、ユーザは操作部１３を操作してＶｉｖｉｄレベルの設定を行う（Ｓ１０３）。例えば、Ｖｉｖｉｄを強調したい場合は、Ｖｉｖｉｄレベルをプラス方向に設定すれば、より多くの画像領域（ビット）がＶｉｖｉｄトナーで印刷される。また、Ｖｉｖｉｄを抑えてコストも下げたい場合は、Ｖｉｖｉｄレベルをマイナス方向に設定すれば、Ｖｉｖｉｄトナーで印刷する画像領域（ビット）が少なくなる。また、コストを重視する場合は、「Ｖｉｖｉｄを使用しない」を選択すれば、Ｖｉｖｉｄトナーを使用せずに通常トナーのみで印刷することもできる。
【００４４】
また、プロパティ画面４１には、色再現域外の色に対する処理を規定する欄が設けられており、ユーザは操作部１３を操作して再現範囲外色域処理を選択する（Ｓ１０４）。例えば、通常トナーでもＶｉｖｉｄトナーでも再現できない色域が含まれる場合に、その色域に対してＶｉｖｉｄトナーを用いるか（Ｖｉｖｉｄ出力）、通常トナーを用いるか（通常出力）を設定する。
【００４５】
また、プロパティ画面４１には、印刷に関する詳細項目を設定する欄が設けられており、ユーザは操作部１３を操作して、例えば、原稿サイズ、出力サイズ、印刷方法（片面、両面、小冊子等）、仕上げ（ステープル、パンチ）などの選択を行う（Ｓ１０５）。
【００４６】
そして、ユーザはＶｉｖｉｄレベルの設定、再現範囲外色域処理の選択、詳細項目の設定を行った後、プロパティ画面４１のＯＫボタンを押す（Ｓ１０６）。
【００４７】
次に、本実施例のコンピュータ端末におけるプリンタドライバの処理について、図１０のフローチャート図を参照して説明する。
【００４８】
＜プリンタドライバの処理＞
まず、プリンタドライバは、プロパティ画面４１で設定された各種パラメータを解釈し、これらを印刷ジョブに記述可能な設定情報に変換する（Ｓ２０１）。
【００４９】
次に、プリンタドライバは、プリンタドライバ画面４０でＯＫボタンが押されたかを監視する（Ｓ２０２）。
【００５０】
そして、ＯＫボタンが押されたら、プリンタドライバは、変換された各種設定情報とアプリケーションで作成された文書データとを、ＰＤＬの印刷ジョブに変換し、印刷ジョブを画像形成装置２０に送信する（Ｓ２０３）。このとき、画像形成装置２０に送る印刷ジョブの中には、色域情報が含まれる。
【００５１】
次に、本実施例の画像形成装置２０の動作について、図１１乃至図１３のフローチャート図を参照して説明する。なお、画像形成装置２０のメモリ２１ｂ又はＨＤＤ２１ｃには、所定の色空間における第１のトナー群（ここでは通常トナー）及び第２のトナー群（ここではＶｉｖｉｄトナー）の色再現域を規定するデータ及びＩＣＣプロファイル（各デバイスの色に関する特性が記述されたデバイスプロファイル）が予め記憶されているものとする。
【００５２】
画像形成装置２０の制御部２１は、プリンタドライバより送信される印刷ジョブを受信し（Ｓ３０１）、受信が完了したら（Ｓ３０２のＹｅｓ）、印刷ジョブの各ページのデータをラスタライズし、印刷部２７で印刷可能なデータ形式、例えばビットマップ形式の画像データに変換する（Ｓ３０３）。そして、変換した画像データをメモリ２１ｂやＨＤＤ２１ｃに格納する（Ｓ３０４）。
【００５３】
次に、制御部（印刷制御プログラム）は、ＩＣＣプロファイルを用いて、格納した画像データをＢｉｔ単位でＬａｂデータに変換（言い換えると画像データに基づく画像の各画素の色情報をＬａｂ値に変換）する（Ｓ３０５）。具体的には、図１２に示すように、ＲＧＢやＣＭＹＫなどの画像データを入力し（Ｓ３０５ａ）、ＲＧＢやＣＭＹＫなどの装置に依存するデバイスディペンデントカラー（Device Dependent Color）を、ＩＣＣプロファイルを使用してＬａｂなどのデバイスインディペンデントカラーに色変換を行い（Ｓ３０５ｂ）、Ｌａｂデータを出力する（Ｓ３０５ｃ）。
【００５４】
次に、制御部（印刷制御プログラム）は、ＩＣＣプロファイルを用いて、同じ画像データをＢｉｔ単位で、それぞれのトナー群を用いた場合の印刷データに変換する（Ｓ３０６）。具体的には、図１３に示すように、ＲＧＢやＣＭＹＫなどの画像データを入力し（Ｓ３０６ａ）、所定の画像処理を行った後（Ｓ３０６ｂ）、ＩＣＣプロファイルを使用して色変換処理を行い（Ｓ３０６ｃ）、Ｃ'Ｍ'Ｙ'Ｋ'などの印刷データを出力する（Ｓ３０６ｄ）。
【００５５】
次に、制御部（印刷制御プログラム）は、メモリ２１ｂ又はＨＤＤ２１ｃから通常トナー及びＶｉｖｉｄトナーの色再現域を規定するデータを読み出し、Ｓ３０５で変換したＬａｂデータの値（Ｌａｂ値）と、通常トナー及びＶｉｖｉｄトナーの色再現域とを比較する（Ｓ３０７）。
【００５６】
そして、制御部（印刷制御プログラム）は、Ｌａｂ値が通常トナーの色再現域内であるかを判断し（Ｓ３０８）、通常トナーの色再現域内（図６における粗いドットのハッチング領域及び斜線のハッチング領域）であれば、画像データのそのＢｉｔを通常トナーを使用する領域に分類する（Ｓ３０９）。
【００５７】
次に、制御部（印刷制御プログラム）は、Ｌａｂ値がＶｉｖｉｄトナーの色再現域内であるかを判断し（Ｓ３１０）、通常トナーの色再現域外、かつ、Ｖｉｖｉｄトナーの色再現域内（図６における細かいドットのハッチング領域）であれば、画像データのそのＢｉｔをＶｉｖｉｄトナーを使用する領域に分類する（Ｓ３１１）。
【００５８】
次に、制御部（印刷制御プログラム）は、図８のプロパティ画面４１における再現範囲外色域処理の設定を印刷ジョブから読み出し、通常出力に設定されていれば（Ｓ３１２のＹｅｓ）、画像データのそのＢｉｔを通常トナーを使用する領域に分類し（Ｓ３１３）、Ｖｉｖｉｄ出力に設定されていれば（Ｓ３１２のＮｏ）、画像データのそのＢｉｔをＶｉｖｉｄトナーを使用する領域に分類する（Ｓ３１４）。
【００５９】
次に、制御部（印刷制御プログラム）は、画像データの全Ｂｉｔに対する処理が終了したかを判断し（Ｓ３１５）、処理が終了していなければ、ステップＳ３０５に戻って同様の処理を繰り返す。通常トナーを使用する領域とＶｉｖｉｄトナーを使用する領域とに分類された各ビットデータは、それぞれ通常トナーのＣＭＹＫ値、またはＶｉｖｉｄトナーのＣＭＹ値を持ち、通常トナーＣＭＹＫのトナー量と、ＶｉｖｉｄトナーＣＭＹのトナー量が全Ｂｉｔに設定される。
【００６０】
次に、制御部（印刷制御プログラム）は、印刷ジョブで規定される各種パラメータを分析し、その設定値に従い、各色ドラムの印刷データとして印刷部２７に送出する（ステップＳ３１６）。
【００６１】
その後、印刷部２７で印刷処理を実行する（ステップＳ３１７）。
【００６２】
なお、上記フローは、図８のプロパティ画面４１のＶｉｖｉｄ設定欄でＶｉｖｉｄレベル０に設定された場合を想定して、Ｌａｂ値が通常トナーの色再現域内であれば、Ｖｉｖｉｄトナーの色再現域内であるか否かに関わらず通常トナーを使用する領域に分類し、Ｌａｂ値が通常トナーの色再現域外であり、かつ、Ｖｉｖｉｄトナーの色再現域内であれば、Ｖｉｖｉｄトナーを使用する領域に分類したが、Ｖｉｖｉｄレベルがプラス又はマイナスの場合は判断の基準が変わることとなる。
【００６３】
例えば、Ｖｉｖｉｄレベル＋１＝１０％と予め設定されている場合は、Ｌａｂ値を重み付け（ここでは１０％加算）した値が判断の基準となる。つまり、標準状態に比べ１０％増しの色域までＶｉｖｉｄトナーを使用する領域と判断される。もちろん、この１０％といった値はいくつに設定しても良いし、％ではなく単純に数値を増減するだけでも良い。
【００６４】
また、通常トナーの色再現域とＶｉｖｉｄトナーの色再現域の境界については、基本的には各トナーの色再現域と完全に一致させるが、通常トナーの持つ色再現域側またはＶｉｖｉｄトナーの持つ色再現域側に振ることが可能である。こうすることにより、低コスト化や、Ｖｉｖｉｄトナーを強調した画像など、ユーザの好みを反映した画像を再現することができる。その際、それぞれの振り幅は適否設定可能であり、かつＶｉｖｉｄを使わないモードも設定可能である。
【００６５】
また、上記フローでは、Ｂｉｔ単位で通常トナー領域又はＶｉｖｉｄトナー領域に分類したが、通常トナーで再現できない領域はある程度の大きさがあると考えられることから、複数Ｂｉｔなどの所定の単位（言い換えると複数画素などの所定の領域単位で）で通常トナー領域又はＶｉｖｉｄトナー領域に分類してもよい。その場合は、所定の単位でＬａｂ値の平均値を求めるか、若しくは、所定の単位のＲＧＢ値の平均値をＬａｂ値に変換すればよい。
【００６６】
以上説明したように、画像形成装置２０の印刷部２７に、色再現域の異なる第１のトナー群（通常トナー）と第２のトナー群（Ｖｉｖｉｄトナー）を搭載し、印刷対象とする画像データを所定の単位でＬａｂ値に変換し、そのＬａｂ値が各トナー群の色再現域のどの領域に属するかに基づいてどのトナー群を使用するかが決定されるため、双方のトナー群で再現できる場合はより安価なトナー群を使用し、一方のトナー群でしか再現できない場合のみそのトナー群を使用することにより、印刷コストを抑え、かつ、色再現性を高めることができる。
【００６７】
なお、上記実施例では、通常トナーとＶｉｖｉｄトナーの２種類のトナー群を利用する場合について説明したが、本発明は上記実施例に限定されるものではなく、色再現域の異なる３種以上のトナー群を利用することもできる。その場合は、いずれか１つのトナー群のみでしか再現できない色に対してはそのトナー群を使用し、２種以上のトナー群で再現できる色に対しては、それらの内の最も安価なトナー群を利用するようにすればよい。
【産業上の利用可能性】
【００６８】
本発明は、色再現域の異なる複数種類のトナー群を備える画像形成装置及び該画像形成装置を用いて印刷を制御する方法並びにプログラムに利用可能である。
【図面の簡単な説明】
【００６９】
【図１】本発明の一実施例に係る印刷システムの構成例を示す図である。
【図２】本発明の一実施例に係るコンピュータ端末の構成を示すブロック図である。
【図３】本発明の一実施例に係る画像形成装置の構成を示す模式図である。
【図４】本発明の一実施例に係る画像形成装置の構成を示すブロック図である。
【図５】本発明の一実施例に係る画像形成装置の印刷部の具体的構成を示す図である。
【図６】Ｖｉｖｉｄトナーと通常トナーの色再現域を示す図である。
【図７】本発明の一実施例に係るコンピュータ端末の表示部に表示される画面（プリンタドライバ画面）の一例を示す図である。
【図８】本発明の一実施例に係るコンピュータ端末の表示部に表示される画面（プロパティ画面）の一例を示す図である。
【図９】本発明の一実施例に係るコンピュータ端末におけるユーザ操作の手順を示すフローチャート図である。
【図１０】本発明の一実施例に係るコンピュータ端末におけるプリンタドライバの動作を示すフローチャート図である。
【図１１】本発明の一実施例に係る画像形成装置の全体動作を示すフローチャート図である。
【図１２】本発明の一実施例に係る画像形成装置におけるＬａｂデータへの変換手順を示すフローチャート図である。
【図１３】本発明の一実施例に係る画像形成装置におけるＣＭＹＫ印刷データへの変換手順を示すフローチャート図である。
【符号の説明】
【００７０】
１０  コンピュータ端末
１１  制御部
１１ａ  ＣＰＵ
１１ｂ  メモリ
１１ｃ  ＨＤＤ
１１ｄ  通信Ｉ／Ｆ部
１２  表示部
１３  操作部
２０  画像形成装置
２１  制御部
２１ａ  ＣＰＵ
２１ｂ  メモリ
２１ｃ  ＨＤＤ
２１ｄ  通信Ｉ／Ｆ部
２２  ＡＤＦ
２３  画像読取部
２４  表示部
２５  操作部
２６  給紙部
２７  印刷部
２８  後処理部
３０  通信ネットワーク
４０  プリンタドライバ画面
４１  プロパティ画面
【図１】
2010139718.tif 000003
【図２】
2010139718.tif 000004
【図３】
2010139718.tif 000005
【図４】
2010139718.tif 000006
【図５】
2010139718.tif 000007
【図６】
2010139718.tif 000008
【図７】
2010139718.tif 000009
【図８】
2010139718.tif 000010
【図９】
2010139718.tif 000011
【図１０】
2010139718.tif 000012
【図１１】
2010139718.tif 000013
【図１２】
2010139718.tif 000014
【図１３】
2010139718.tif 000015